(57)【要約】【課題】  冷陰極蛍光管又は外部電極蛍光管に用いる蛍光体の発光効率を向上させ、高輝度発光を実現させることにより、省エネルギーを実現可能とする液晶表示装置及び照明装置を提供する。【解決手段】  冷陰極蛍光管ＣＣＦＬが内部に希ガス及び水銀、又は希ガスが封入された紫外線透過性のガラス管ＶＡＬと、このガラス管ＶＡＬの両端部に対向して封入配置された一対の冷陰極ＥＬＥと、この冷陰極ＥＬＥに一端が接続し他端が当該ガラス管外に気密封止して導出されたインナーＩＬＥ及びアウターリードＯＬＥと、ガラス管ＶＡＬの外周面に成膜されたガラス蛍光体膜ＧＦＬＵとから構成することにより、ガラス蛍光体ＧＦＬＵによる発光効率の高い蛍光が得られる。【選択図】  図１
2006310029.tif 000002
【特許請求の範囲】
【請求項１】
内面に画素形成用の電極を有する一対の透光性基板の間に液晶層を挟持して構成された液晶表示パネルと、
前記液晶表示パネルの背面に照明光を照射する少なくとも１本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された紫外線透過性のガラス管と、
前記ガラス管の両端部に対向して封入配置された一対の冷陰極と、
前記冷陰極に一端が接続し他端が当該ガラス管外に気密封止して導出された給電用リード線と、
前記ガラス管の外周面に設置されたガラス蛍光体膜とを備えたことを特徴とする液晶表示装置。
【請求項２】
前記ガラス蛍光体膜の外周面に当該ガラス蛍光体膜を気密保持する保持膜を設けたことを特徴とする請求項１に記載の液晶表示装置。
【請求項３】
前記保持膜が石英ガラス膜とすることを特徴とする請求項２に記載の液晶表示装置。
【請求項４】
前記保持膜がフッ素樹脂膜とすることを特徴とする請求項２に記載の液晶表示装置。
【請求項５】
内面に画素形成用の電極を有する一対の透光性基板の間に液晶層を挟持して構成された液晶表示パネルと、
前記液晶表示パネルの背面に照明光を照射する少なくとも１本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された紫外線透過性のガラス管と、
前記ガラス管の両端部に対向して封入配置された一対の冷陰極と、
前記冷陰極に一端が接続し他端が前記ガラス管外に気密封止して導出された給電用リード線と、
前記ガラス管の外周面に成膜された蛍光体膜と、
前記蛍光体膜の外周面に成膜されたガラス蛍光体膜と、
前記ガラス蛍光体膜の外周面に設置され、且つ前記蛍光体膜及び前記ガラス蛍光体膜を密封するガラスパイプとを備えたことを特徴とする液晶表示装置。
【請求項６】
内面に画素形成用の電極を有する一対の透光性基板の間に液晶層を挟持して構成された液晶表示パネルと、
前記液晶表示パネルの背面に照明光を照射する少なくとも１本の外部電極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記外部電極蛍光管は、内部に希ガス及び水銀、又は希ガスが封入されたガラス管と、
前記ガラス管の両端部の外周面に装着された一対の電極と、
前記ガラス管の内周面に設置されたガラス蛍光体膜とを備えたことを特徴とする液晶表示装置。
【請求項７】
内面に画素形成用の電極を有する一対の透過性基板の間に液晶層を挟持して構成された液晶表示パネルと、
前記液晶表示パネルの背面に照明光を照射する少なくとも1本の外部電極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入されたガラス管と、
前記ガラス管の両端部に対向して封入設置された一対の冷陰極と、
前記冷陰極に一端が接続し他端が当該ガラス管外に気密封止して導出された給電用リード線と、
前記ガラス管の内周面に設置されたガラス蛍光体膜とを備えたことを特徴とする液晶表示装置。
【請求項８】
内面に画素形成用の電極を有する一対の透過性基板の間に液晶層を挟持して構成された液晶表示パネルと、
前記液晶表示パネルの背面に照明光を照射する少なくとも1本の外部電極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入されたガラス管と、
前記ガラス管の両端部に対向して封入設置された一対の冷陰極と、
前記冷陰極に一端が接続し他端が当該ガラス管外に気密封止して導出された給電用リード線と、
前記ガラス管の内周面に設置されたガラス蛍光体膜と、
前記蛍光体膜を保持する石英ガラス膜とを備えたことを特徴とする液晶表示装置。
【請求項９】
内面に画素形成用の電極を有する一対の透過性基板の間に液晶層を挟持して構成された液晶表示パネルと、
前記液晶表示パネルの背面に照明光を照射する少なくとも1本の外部電極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記外部電極蛍光管は、内部に希ガス及び水銀、又は希ガスが封入された紫外線透過性ガラス管と、
前記ガラス管の両端部の外部に設置された一対の外部電極と、
前記ガラス管の外周面に設置されたガラス蛍光体膜とを備えたことを特徴とする液晶表示装置。
【請求項１０】
内面に画素形成用の電極を有する一対の透過性基板の間に液晶層を挟持して構成された液晶表示パネルと、
前記液晶表示パネルの背面に照明光を照射する少なくとも1本の外部電極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記外部電極蛍光管は、内部に希ガス及び水銀、又は希ガスが封入された紫外線透過性ガラス管と、
前記ガラス管の両端部の外部に設置された一対の外部電極と、
前記ガラス管の外周面に設置されたガラス蛍光体膜と、
前記ガラス蛍光体膜を保持するための石英ガラス膜又はフッ素樹脂膜とを備えたことを特徴とする液晶表示装置。
【請求項１１】
内面に画素形成用の電極を有する一対の透過性基板の間に液晶層を挟持して構成された液晶表示パネルと、
前記液晶表示パネルの背面に照明光を照射する少なくとも1本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された少なくともその一部が紫外線透過性ガラス製の容器で、かつ前記容器の内面の少なくとも一部に光学反射効果のあるものと、
前記容器の内部に封入設置された複数電極と、
前記紫外線透過性ガラスの外面に設置されたガラス蛍光体膜とを備えたことを特徴とする液晶表示装置。
【請求項１２】
内面に画素形成用の電極を有する一対の透過性基板の間に液晶層を挟持して構成された液晶表示パネルと、
前記液晶表示パネルの背面に照明光を照射する少なくとも1本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された少なくともその一部が紫外線透過性ガラス製の容器で、かつ前記容器の内面の少なくとも一部に光学反射効果のあるものと、
前記容器の内部に封入設置された複数電極と、
前記紫外線透過性ガラスの外面に設置されたガラス蛍光体膜と、
前記ガラス蛍光体膜を保持するための石英ガラス膜又はフッ素樹脂膜とを備えたことを特徴とする液晶表示装置。
【請求項１３】
内面に画素形成用の電極を有する一対の透過性基板の間に液晶層を挟持して構成された液晶表示パネルと、
前記液晶表示パネルの背面に照明光を照射する少なくとも1本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された少なくともその一部がガラス製の容器で、かつ前記容器の内面の少なくとも一部に光学反射効果のあるものと、
前記容器の内部に封入設置された複数電極と、
前記ガラスの内面に設置されたガラス蛍光体膜とを備えたことを特徴とする液晶表示装置。
【請求項１４】
内面に画素形成用の電極を有する一対の透過性基板の間に液晶層を挟持して構成された液晶表示パネルと、
前記液晶表示パネルの背面に照明光を照射する少なくとも1本の冷陰極蛍光管を有するバックライトと、
前記液晶表示パネルと前記バックライトとの間に介挿された光学補償シート積層体と、
前記液晶表示パネル及び前記バックライトを収容するフレームと、
を備えた液晶表示装置であって、
前記冷陰極蛍光管は、内部に希ガス及び水銀、又は希ガスが封入された少なくともその一部がガラス製の容器で、かつ前記容器の内面の少なくとも一部に光学反射効果のあるものと、
前記容器の内部に封入設置された複数電極と、
前記ガラスの内面に設置されたガラス蛍光体膜と、
前記ガラス蛍光体膜を保持するための石英ガラス膜とを備えたことを特徴とする液晶表示装置。
【請求項１５】
前記バックライトは、前記光学補償シート積層体の背面に設置されて光を面状に拡散させる透光性の導光板を有し、当該導光板の側縁に沿って前記冷陰極蛍光管が設置されるサイドエッジ型とすることを特徴とする請求項１乃至５、および１１乃至１４の何れかに記載の液晶表示装置。
【請求項１６】
前記ガラス蛍光体は、半導体ナノ粒子を分散したガラスにより形成されたことを特徴とする請求項１乃至請求項１５の何れかに記載の液晶表示装置。
【請求項１７】
蛍光管の給電用リード線に接続する接続端子を有する照明器具と、前記照明器具に装着された蛍光管とを備えたことを特徴とする請求項１乃至請求項１６の何れかに記載の液晶表示装置に用いる照明装置。
【発明の詳細な説明】
【技術分野】
【０００１】
本発明は、光源として冷陰極蛍光管を用いたバックライトを備えた液晶表示装置及び照明装置に係わり、特に冷陰極蛍光管の管構造に関するものである。
【背景技術】
【０００２】
非発光型である液晶表示パネルを用いた画像表示装置では、当該液晶表示パネルに形成された電子潜像を外部照明手段を設けることにより、可視化させている。外部照明手段には自然光を利用する構造を除いて液晶表示パネルの背面または前面に照明装置を設置している。特に高輝度を要する表示デバイスには、液晶表示パネルの背面に照明装置を設けた構造が主流となっている。これをバックライトと称している。
【０００３】
バックライトには、大別してサイドエッジ型と直下型とがある。サイドエッジ型は、透明板からなる導光板の側縁部に沿って冷陰極蛍光管に代表される線状光源を設置した構造であり、パソコン用等の薄型化が要求される表示デバイスに多く用いられている。一方、ディスプレーモニタまたはテレビ受像機に用いられる表示デバイス等の大型サイズの液晶表示装置では、直下型が多く用いられる。直下型バックライトは、液晶表示パネルの背面側直下に照明装置を設置する構造である。
【０００４】
図１１は、照明装置として直下型バックライトを用いた液晶表示装置の構成例を模式的に説明する展開斜視図である。なお、図１１には、上フレームは液晶表示パネルＬＣＤの上方にあるが、図１１では省略されている。また、図１２は、構成部材を一体化した液晶表示装置の構成を模式的に説明する断面図である。さらに図１３は、光学補償シート積層体側から見た下フレームの構成例を模式的に説明する平面図である。なお、図１２は、図１３のＡ−Ａ線に沿って切断した断面に相当する。
【０００５】
図１１〜図１３において、液晶表示パネルＬＣＤは、画素形成用の電極を有する透光性ガラス基板の間に液晶層を封止してなり、一方のガラス基板（通常、アクティブ・マトリクス基板とも称する）の二辺は他方の基板（通常、カラーフィルタ基板とも称する）から食み出ており、この食み出し部分に走査信号線駆動回路チップＧＣＨを搭載したフレキシブルプリント回路基板ＦＰＣ１と、データ信号線駆動回路チップＤＣＨを搭載したフレキシブルプリント回路基板ＦＰＣ２とが実装されている。
【０００６】
このような液晶表示装置は、下フレームＤＦＬの内側に反射シートＲＦＳを敷き、その上方に複数本の冷陰極蛍光管ＣＣＦＬ又は外部電極蛍光管ＥＥＦＬを平行に設置してバックライトＢＫＬを構成している。下フレームＤＦＬは金属板で形成され、同じく金属板で形成した上フレームＵＦＬとの間に液晶表示パネルＬＣＤを光学補償シート積層体ＰＨＳと共に重ねて一体化する機能も有する。液晶表示パネルＬＣＤのサイズが大型になるに伴って冷陰極蛍光管ＣＣＦＬ又は外部電極蛍光管ＥＥＦＬの長さが長くなる。冷陰極蛍光管ＣＣＦＬ又は外部電極蛍光管ＥＥＦＬは直径の小さいガラス管で構成される蛍光灯であり、通常はゴムブッシュＧＢＳによる両端部支持により設置される。
【０００７】
さらに、液晶表示装置においては、バックライトＢＫＬの上部には透光性樹脂材からなる導光板ＧＬＢが設置され、さらにこの導光板ＧＬＢの上部（液晶表示パネルＬＣＤとの間）には複数種の光学補償シート群が設置される。この光学補償シート積層体ＰＨＳは、拡散板ＳＣＢと、第１拡散シートＳＣＳ１と、交差して配置された２枚のプリズムシートＰＲＺと、第２拡散シートＳＣＳ２とを重ねて構成されている。直下型バックライトＢＫＬは、有底で側縁を有する下フレームＤＦＬの側縁に設けたサイドモールドと称する樹脂製の側部保持枠ＳＭＬＤを有し、この側部保持枠ＳＭＬＤに導光板ＧＬＢ及び光学補償シート積層体ＰＨＳの周端を橋絡させて保持される。
【０００８】
また、図１２に示したように導光板ＧＬＢ及び光学補償シート積層体ＰＨＳを保持したバックライトＢＫＬは、モールドフレームＭＬＤで液晶表示パネルＬＣＤと組み合わされた後、上フレームＵＦＬを被せ、この上フレームＵＦＬと下フレームＤＦＬとを図示しない係止部材で結合し、一体化して液晶表示装置が構成される。なお、液晶表示パネルＬＣＤが大型化される構成においては、導光板ＧＬＢに代えて光拡散板または光拡散シートが用いられる。
【０００９】
図１４は、液晶表示装置のバックライトとして用いられる冷陰極蛍光管ＣＣＦＬの全体構成を示す断面図であり、図１５はその要部拡大断面図である。
【００１０】
この冷陰極蛍光管ＣＣＦＬは、外套管とも称される透光性のガラス管ＶＡＬの両端内部には一対の冷陰極ＥＬＥが対向して配置され、希ガス及び水銀が封入されて構成されている。また、このガラス管ＶＡＬの内壁面には希土類蛍光体からなる蛍光体膜ＦＬＵが被着形成されている。一対の冷電極ＥＬＥは、例えばニッケル材をプレス成形法によりカップ状に形成され、その開口端部が主放電領域に向き、その後端部にはガラスの熱膨張率に近似する例えばニッケル−コバルト−鉄合金などからなるインナーリードＩＬＥを突き合わせて例えば抵抗溶接法などにより接合されて電気的に接続されている。カップ状の冷陰極ＥＬＥは、その内壁面に例えば酸化アルミニウム（Ａｌ2Ｏ3）を焼結させて形成されたスパッタ源ＡＳＰが形成されている。
【００１１】
また、このインナーリードＩＬＥは、ガラスビーズＧＢＥに支持されてガラス管ＶＡＬに内外部を気密状態に封着されている。ガラスビーズＧＢＥは、ガラス管ＶＡＬの両端部に溶着させてガラス管ＶＡＬを封止切りし、外部に突出した一対のインナーリードＩＬＥには例えばニッケル材等からなるアウターリードＯＬＥにレーザ溶接法等により接合されて電気的に接続されている。この一対のアウターリードＯＬＥには図示しない電源回路に接続されて対向する冷電極ＥＬＥに点灯電力が供給される。
【００１２】
このように構成される液晶表示装置において、表示パネルの大型化に伴うバックライト装置の冷陰極蛍光管の長管化と細管化とに対応したバックライト装置が例えば下記特許文献１に開示されている。また、冷陰極蛍光管ＣＣＦＬ内の放電電極間の放電に伴って放射された紫外線が冷陰極蛍光管ＣＣＦＬの蛍光体膜及びガラス管壁を透過し、周辺部材の損傷及び劣化を回避するために冷陰極蛍光管ＣＣＦＬの外周面に紫外線吸収膜を設けた構成が下記特許文献２に開示されている。
【特許文献１】特開２００１−２１０１２６号公報
【特許文献２】特開２００３−１８７７４６号公報
【発明の開示】
【発明が解決しようとする課題】
【００１３】
このように構成される液晶表示装置の冷陰極蛍光管ＣＣＦＬ又は外部電極蛍光管ＥＥＦＬは、ガラス管ＶＡＬの内壁面に被着形成される蛍光体層ＦＬＵとして通常では希土類蛍光体と称される蛍光体が用いられる。希土類蛍光体は、その歴史は長く、様々な改良が進められた結果、実用化当初に比べて飛躍的に特性が向上した。しかしながら、蛍光体に求められる特性向上の要求は留まる所がなく、近年、省エネルギーの観点からは、更なる高発光効率化及び輝度の向上が要請されている。
【００１４】
ところが、広い範囲の改良が長期間に亘って推し進められた結果、最近では、画期的な改良手段が見つけ出すことが困難な傾向にあり、数年間の研究でも発光効率の向上は数パーセント程度であり、行き詰まりの傾向にある。
【００１５】
したがって、本発明は前述した従来の課題を解決するためになされたものであり、その目的は、冷陰極蛍光管又は外部電極蛍光管に用いる蛍光体の発光効率を向上させ、高輝度発光を実現させることにより、省エネルギーを実現可能とする液晶表示装置を提供することにある。
【課題を解決するための手段】
【００１６】
このような目的を達成するために本発明による液晶表示装置は、内面に画素形成用の電極を有する一対の透明基板の間に液晶層を挟持して構成された液晶表示パネルと、この液晶表示パネルの背面に照明光を照射する少なくとも１本の冷陰極蛍光管を有するバックライトと、液晶表示パネルとバックライトとの間に介挿された光学補償シート積層体と、液晶表示パネル及びバックライトを収容するフレームとを備え、冷陰極蛍光管又は外部電極蛍光管が内部に希ガス及び水銀が封入された紫外線透過性のガラス管と、このガラス管の両端部に対向して封入配置された一対の冷陰極と、この冷陰極に一端が接続し他端が当該ガラス管外に気密封止して導出された給電用リード線と、ガラス管の外周面に成膜されたガラス蛍光体膜とから構成することにより、ガラス蛍光体による発光効率の高い蛍光が得られるので、背景技術の課題を解決することができる。
【００１７】
また、本発明による他の液晶表示装置は、冷陰極蛍光管が内部に希ガス及び水銀、又は希ガスが封入されたガラス管と、このガラス管の両端に対向して封入配置された一対の冷陰極と、この冷陰極に一端が接続し他端がガラス管外に気密封止して導出された給電用リード線と、ガラス管の内周面に設置されたガラス蛍光体膜とから構成することにより、ガラス蛍光体による発光効率の高い蛍光が得られるので、背景技術の課題を解決することが出来る。
【００１８】
また、本発明による他の液晶表示装置は、冷陰極蛍光管が内部に希ガス及び水銀、又は希ガスが封入されたガラス管と、このガラス管の両端に対向して封入配置された一対の冷陰極と、この冷陰極に一端が接続し他端がガラス管外に気密封止して導出された給電用リード線と、ガラス管の内周面に設置されたガラス蛍光体膜と、前記蛍光体膜を保持するための石英ガラス膜とから構成することにより、ガラス蛍光体による発光効率の高い蛍光が得られるので、背景技術の課題を解決することが出来る。
【００１９】
また、本発明による他の液晶表示装置は、冷陰極蛍光管が内部に希ガス及び水銀、又は希ガスが封入された紫外線透過性のガラス管と、このガラス管の両端部に対向して封入配置された一対の冷陰極と、この冷陰極に一端が接続し他端がガラス管外に気密封止して導出された給電用リード線と、ガラス管の外周面に成膜された蛍光体膜と、この蛍光体膜の外周面に成膜されたガラス蛍光体膜と、このガラス蛍光体膜の外周面に設置され、且つ蛍光体膜及びガラス蛍光体膜を密封するガラスパイプとから構成することにより、ガラス蛍光体による発光効率の高い蛍光が得られるので、背景技術の課題を解決することができる。
【００２０】
また、本発明による他の液晶表示装置は、外部電極蛍光管が内部に希ガス及び水銀、又は希ガスが封入されたガラス管と、このガラス管の両端部の外周面に設置された一対の陰極と、ガラス管の内周面に成膜されたガラス蛍光体膜とから構成することにより、ガラス蛍光体による発光効率の高い蛍光が得られるので、背景技術の課題を解決することができる。
【００２１】
また、本発明による他の液晶表示装置は、外部電極蛍光管が内部に希ガス及び水銀、又は希ガスが封入された紫外線透過性のガラス管と、このガラス管の両端部外周面に設置された一対の電極と、ガラス管の外周面に設置されたガラス蛍光体膜とから構成することにより、ガラス蛍光体による発光効率の高い蛍光が得られるので、背景技術の課題を解決することが出来る。更に紫外線透過性ガラス管は紫外線での失透が少ない紫外線透過性の樹脂製でも良い。
【００２２】
また、本発明による他の液晶表示装置は、外部電極蛍光管が内部に希ガス及び水銀、又は希ガスが封入された紫外線透過性のガラス管と、このガラス管の両端部外周面に設置された一対の電極と、ガラス管の外周面に設置されたガラス蛍光体膜と、前記蛍光体膜を保持するための石英ガラス膜又はフッ素樹脂膜とから構成することにより、ガラス蛍光体による発光効率の高い蛍光が得られるので、背景技術の課題を解決することが出来る。更に紫外線透過性ガラス管は紫外線での失透が少ない紫外線透過性の樹脂製でも良い。
【００２３】
本発明による液晶表示装置は、バックライトが光学補償シート積層体の背面に設置されて光を面状に拡散させる透光性の導光板を有し、この導光板の側縁に沿って上記構成の冷陰極蛍光管が設置されるサイドエッジ型とすることにより、この冷陰極蛍光管のガラス蛍光体による発光効率の高い蛍光が得られるので、背景技術の課題を解決することができる。
【００２４】
また、本発明による他の液晶表示装置は、冷陰極蛍光管が内部に希ガス及び水銀、又は希ガスが封入された少なくともその一部が紫外線透過性のガラス製でかつ、その内部の一部に光学反射作用がある容器と、この容器の内部に封入配置された複数冷陰極と、この冷陰極に一端が接続し他端が容器外に気密封止して導出された給電部と、前記紫外線透過性ガラスの外面の少なくとも一部に成膜されたガラス蛍光体膜とから構成することにより、ガラス蛍光体による発光効率の高い蛍光が得られるので、背景技術の課題を解決することが出来る。
【００２５】
また、本発明による他の液晶表示装置は、冷陰極蛍光管が内部に希ガス及び水銀、又は希ガスが封入された少なくともその一部が紫外線透過性のガラス製かつ、その内部の一部に光学反射作用がある容器と、この容器の内部に封入配置された複数冷陰極と、この冷陰極に一端が接続し他端が容器外に気密封止して導出された給電部と、前記紫外線透過性ガラスの外面の少なくとも一部に成膜されたガラス蛍光体膜と、このガラス蛍光体膜を保持するための石英膜又はフッ素樹脂膜とから構成することにより、ガラス蛍光体による発光効率の高い蛍光が得られるので、背景技術の課題を解決することが出来る。更に紫外線透過性ガラス板は紫外線での失透が少ない紫外線透過性の樹脂製でも良い。
【００２６】
また、本発明による他の液晶表示装置は、冷陰極蛍光管が内部に希ガス及び水銀、又は希ガスが封入された少なくともその一部がガラス製でかつ、その内部の一部に光学反射作用がある容器と、この容器に封入配置された複数冷陰極と、この冷陰極に一端が接続し他端が容器外に気密封止して導出された給電部と、前記ガラスの内面の少なくとも一部に成膜されたガラス蛍光体膜とから構成することにより、ガラス蛍光体による発光効率の高い蛍光が得られるので、背景技術の課題を解決することが出来る。
【００２７】
また、本発明による他の液晶表示装置は、冷陰極蛍光管が内部に希ガス及び水銀、又は希ガスが封入された少なくともその一部がガラス製でかつ、その内部の一部に光学反射作用がある容器と、この容器に封入配置された複数冷陰極と、この冷陰極に一端が接続し他端が容器外に気密封止して導出された給電部と、前記ガラス内面の一部に成膜されたガラス蛍光体膜と、前記ガラス蛍光体膜を保持するための石英ガラス膜とから構成することにより、ガラス蛍光体による発光効率の高い蛍光が得られるので、背景技術の課題を解決することが出来る。
【００２８】
また、本発明による照明装置は、蛍光管の給電用リード線に接続する接続端子を有する照明器具と、この照明器具に装着された蛍光管とを備えた照明装置であって、この蛍光管を上記各冷陰極蛍光管の構成とすることにより、ガラス蛍光体による発光効率の高い蛍光が得られるので、背景技術の課題を解決することができる。
【００２９】
なお、本発明は上記構成に限定されるものではなく、本発明の技術思想を逸脱することなく、種々の変更が可能である。
【発明の効果】
【００３０】
本発明による液晶表示装置によれば、冷陰極蛍光管又は外部電極蛍光管の内周面または外周面にガラス蛍光体膜を設けたことにより、ガラス蛍光体による発光効率の高い蛍光体発光が得られるので、高輝度発光のバックライトが実現可能となり、省エネルギーで高輝度、且つ高品位の表示画像が長期間に亘って得られるという極めて優れた効果が得られる。
【００３１】
また、本発明による照明装置によれば、高輝度発光の蛍光管が実現可能となるので、過大な省エネルギー効果が得られるという極めて優れた効果を有する。
【発明を実施するための最良の形態】
【００３２】
以下、本発明の具体的な実施の形態について、実施例の図面を参照して詳細に説明する。以下の説明中に参照する図面において、同一機能を有するものは同一の参照符号を付し、重複説明は可能な限り省略する。
【実施例１】
【００３３】
図１は、本発明による液晶表示装置の実施例１による冷陰極蛍光管の構成を示す要部拡大断面図である。図１に示す冷陰極蛍光管ＣＣＦＬは、紫外線透過性ガラス管ＶＡＬの内周面には蛍光体膜が全く形成されておらず、その外周面には半導体ナノ粒子を水に分散した水溶液を塗布し、乾燥させたガラス蛍光体膜ＧＦＬＵが成膜され、ガラス管ＶＡＬの表面上に強固に固着されている。なお、このガラス蛍光体膜ＧＦＬＵはガラス管ＶＡＬの主放電領域（両電極ＥＬＥ間の領域）ＡＲのみに形成されている。
【００３４】
ここで、半導体ナノ粒子とは、半導体結晶が粒径２ｎｍ（ナノメートル）〜１０ｎｍの範囲であり、構成原子数にして１０2〜１０4個程度の範囲のものを称し、そのバンドギャップの位置が殆んど可視光領域と一致するので、同じ化合物でも粒径を細かく制御することにより、色調の制御も容易であり、励起波長を自在に選択することができ、一つの励起光で任意波長の可視光を得ることができる。
【００３５】
このガラス蛍光体膜ＧＦＬＵは、半導体ナノ粒子として例えばカドミウムテルライドナノ粒子を水を溶媒としたカドミウムテルライドナノ粒子分散水溶液では、量子サイズ効果により粒径が約３ｎｍでは緑色の発光を示し、粒径が約７ｎｍでは赤色の発光を示す。この半導体ナノ粒子では、発光寿命が約１０ナノ秒程度と現行の希土類蛍光体の発光寿命よりも約５桁程度小さい。このため、紫外線の吸収と発光とを素早く繰り返すので、極めて高い発光輝度が得られる。
【００３６】
また、このガラス蛍光体膜ＧＦＬＵは、現行の希土類蛍光体膜に比較して生成温度が低いので、高熱履歴による劣化が進み易いために比較的低温度でのプロセスによる対応が不可欠である。現行の希土類蛍光体膜がガス雰囲気保持構造を形成するガラス管ＶＡＬの内壁面に塗膜して形成され、同時に紫外線発生部を兼ねているが、ガラス管ＶＡＬの熱加工を経るプロセスであるため、同一構造の場合、ガラス蛍光体ＧＦＬＵの方が現行の希土類蛍光体に比べて劣化し易い。したがって、ガラス蛍光体ＧＦＬＵを用いる場合には、ガラス管ＶＡＬの熱加工後に塗膜形成するか、または熱加工と関係がない部位への塗布並びに低温度プロセスが要点となる。
【００３７】
このような構成においては、ガラス管ＶＡＬの外周面に成膜されたガラス蛍光体膜ＧＦＬＵは、半導体ナノ粒子を分散したガラスにより形成されているので、現行の希土類蛍光体と異なり、一つの励起光で任意の波長の可視光を得ることができる。
【実施例２】
【００３８】
図２は、本発明による液晶表示装置の実施例２による冷陰極蛍光管の構成を示す要部拡大断面図である。図２に示す冷陰極蛍光管ＣＣＦＬは、図１に示すガラス蛍光体膜ＧＦＬＵの外周面にこのガラス蛍光体膜ＧＦＬＵをガラス管ＶＡＬに安定して密着させ、且つ凝集及び表面劣化を防止させる保持膜としての石英ガラス膜ＱＵＡが低温形成法等により成膜されている。
【００３９】
このような構成においては、ガラス蛍光体膜ＧＦＬＵ上に石英ガラス膜ＱＵＡを被膜させたことにより、ガラス蛍光体膜ＧＦＬＵは大気中において凝集及び表面劣化に起因して発光を低下させる特性を有していることから、ガラス蛍光体膜ＧＦＬＵの大気との遮断を確実に防止させて高輝度発光を長期間に亘って維持させることができる。したがって、液晶表示パネルに対しても、高輝度のバックライト光を照射することができる。なお、この実施例では、保持膜として石英ガラス膜ＱＵＡを用いたが、これに代えて紫外線並びに可視光透過性の高いフッ素樹脂膜を成膜しても同様の効果が得られる。
【００４０】
ここで述べている低温生成の石英ガラス膜は、例えばポリシラザンと呼ばれている有機珪素化合物の分散溶液を塗布後に常温又は低温加熱中に保持することにより空気中の水分と反応させ、無機質の石英ガラス膜を形成する。この様な作用をする材料は、例えば“アクアミカ”と言う商品名で市販されている。更に、可視光透過性の高いフッ素樹脂膜は、例えばポリテトラフルオロエチレン-パーフルオロジオキソールコポリマー（TFE/PDD）などの非晶質の樹脂であり、汚れ防止、反射低減用の膜作製用として市販されており、この樹脂を分散した溶液を塗布後に乾燥させることで形成できる。
【実施例３】
【００４１】
図３は、本発明による液晶表示装置の実施例３による冷陰極蛍光管の構成を示す要部拡大断面図である。図３に示す冷陰極蛍光管ＣＣＦＬは、ガラス管ＶＡＬの外周面には希土類蛍光体からなる蛍光体膜ＦＬＵが成膜され、この蛍光体膜ＦＬＵの外周面にはガラス蛍光体膜ＧＦＬＵが成膜され、さらにこのガラス蛍光体膜ＧＦＬＵの外周面には可視光透過性のガラスパイプＧＰＩが被せられている。また、このガラスパイプＧＰＩの開口端は、ガラス管ＶＡＬとの間がリング状の栓ＳＴＯにより密封され、内部に成膜された蛍光体膜ＦＬＵ及びガラス蛍光体膜ＧＦＬＵが大気より遮断されて気密保持される。
【００４２】
このような構成においては、ガラス管ＶＡＬの外周面に成膜された蛍光体膜ＦＬＵ及びガラス蛍光体膜ＧＦＬＵがガラスパイプＧＰＩ及び栓ＳＴＯにより気密保持されるので、ガラス蛍光体膜ＧＦＬＵの大気との接触及び剥離等を確実に防止させて高輝度発光を長期間に亘って維持させることができる。したがって、上記同様に液晶表示パネルに対しても、高輝度のバックライト光を照射することができる。
【００４３】
また、ガラスパイプGPIは水分非透過性で、可視光透過性の高い樹脂製でも良く、更にガラス蛍光体の安定性が向上した場合にはガラスパイプGPIは、水分が透過する可視光透過性の高い樹脂製でも良い。更には、蛍光体膜FLU又は並びにガラス蛍光体GFLUはガラスパイプGPIの内表面に設置しても良い。この構造は、ガラスパイプGPIの材質を問わない。また更には、図示されていないが、蛍光体FLU又は並びにガラス蛍光体GFLUは石英ガラス膜又は可視光並びに紫外線の透過性が高い薄膜で保持しても良い。又更には、図示されていないが、蛍光体FLUがなく、ガラス蛍光体膜GFLUのみでも良い。
【００４４】
図４は、本発明による液晶表示装置の変形例による冷陰極蛍光管の構成を示す要部拡大断面図である。図４に示す冷陰極蛍光管ＣＣＦＬは、ガラス管ＶＡＬの内周面には希土類蛍光体膜に代えてガラス蛍光体膜ＧＦＬＵが成膜され、その内側両端部には一対の冷陰極が配設されておらず、内部に希ガス及び水銀、又は希ガスが封入されて気密封止されている構造となっている。また、このガラス管ＶＡＬの外側両端部には一対のキャップ状の電極ＥＬが設置され、この一対の電極ＥＬには、図示しない電源回路に接続されて点灯電力が供給される構造となっている。
【００４５】
このような構成においは、ガラス蛍光体膜ＧＦＬＵが希ガス及び水銀が封入されたガラス管ＶＡＬの内壁面に形成されているので、ガラス蛍光体膜ＧＦＬＵが大気に曝されることなく、また、剥離することもなくなり、長期間に亘って安定した高輝度発光を得ることができる。
【００４６】
図５は、本発明による液晶表示装置の他の変形例による外部電極蛍光管の構成を示す要部拡大断面図である。図５に示す外部電極蛍光管ＥＥＦＬは、図４と異なる点はガラス管ＶＡＬの両端部に装着された一対の電極ＥＬの対向する内壁面に導電性の電極内面保護膜ＥＰＲが成膜されている。
【００４７】
このような構成においては、ガラス管ＶＡＬの両端内壁面に一対の電極内面保護膜ＥＰＲと、ガラス管ＶＡＬの両端部に装着された一対の電極ＥＬとの間が容量結合されるので、ガラス管ＶＡＬ内の一対の電極内面保護膜ＥＰＲ間における放電が容易となり、点灯時間が短縮される。このような構成においても、上記同様に長期間に亘って安定した高輝度発光を得ることができる。
【００４８】
図６は、本発明による液晶表示装置のさらに他の変形例による外部電極蛍光管の構成を示す要部拡大断面図である。図６に示す外部電極蛍光管ＥＥＦＬは、図５と異なる点がガラス管ＶＡＬの両端部において、ガラス管ＶＡＬの外面と一対の電極ＥＬとの間に導電性の電極下地処理膜ＣＯＮが成膜されている。
【００４９】
このような構成においては、ガラス管ＶＡＬの両端部に装着された一対の電極ＥＬと、ガラス管ＶＡＬ内の一対の電極内面保護膜ＥＰＲとの間における容量結合がさらに大きくなるので、放電がさらに容易となり、点灯時間が大幅に短縮される。したがって、上記同様に長期間に亘って安定した高輝度発光を得ることができる。
【００５０】
図７は、本発明による液晶表示装置の他の変形例による外部電極蛍光管の構成を示す要部拡大断面図である。図７に示す外部電極蛍光管ＥＥＦＬは、図６と異なる点がガラス管ＶＡＬの両端部に装着された一対の電極ＥＬの外周面に絶縁性の電極保護膜ＰＲＯが成膜されている。
【００５１】
このような構成においては、一対の電極ＥＬの外周面に絶縁性の電極保護膜ＰＲＯが成膜されることにより、上記同様の作用効果に加えて一対の電極ＥＬを保護することができるとともに、この外部電極蛍光管ＥＥＦＬのハンドリング中またはバックライトへの組み込み時における電極ＥＬの損傷等を防止することができる。
【００５２】
なお、前述した実施例においては、液晶表示パネルＰＮＬの背面側に複数の冷陰極蛍光管ＣＣＦＬ又は外部電極蛍光管ＥＥＦＬを並列に配列した所謂直下型バックライトＢＫＬを備えた液晶表示装置について説明したが、本発明はこの構造に限定されるものではなく、図８に要部断面図で示すように液晶表示パネルＬＣＤの背面側にレンズシートＬＳと、拡散シートＳＣＳとからなる光学補償シート積層体ＰＨＳを介在させて背面に反射シートＲＦＳを配置したバックライトＢＫＬを設置させて構成されるノート型ＰＣにおいても、導光板ＧＬＢの一方の側縁部に設置される冷陰極蛍光管ＣＣＦＬにも上記構成を適用できることは勿論である。
【００５３】
また、図９に要部断面図で示すように液晶表示パネルＰＮＬの背面側にプリズムシートＰＲＺと拡散シートＳＣＳとからなる光学補償シート積層体ＰＨＳを介在させて背面に反射シートＲＦＳを配置したバックライトＢＫＬを設置させて構成される例えば液晶カーナビゲーション，デジタルメディア対応モニタ，医療用液晶モニタ，印刷／デザイン用液晶モニタ等のＰＣモニタにおいて、導光板ＧＬＢの両側縁部に設置される冷陰極蛍光管ＣＣＦＬ又は外部電極蛍光管ＥＥＦＬにも上記構成を適用できることは勿論である。
【００５４】
さらに、図１０に要部断面図で示すように液晶表示パネルＰＮＬの背面側にレンズシートＬＳとプリズムシートＰＲＺと拡散シートＳＣＳと電磁遮蔽シートＥＣＳと拡散板ＤＦＰとからなる光学補償シート積層体ＰＨＳを介在させ、背面側に反射シートＲＦＳを配置したバックライトＢＫＬを設置させて構成される液晶テレビ受像機において、光学補償シート積層体ＰＨＳの背面部に並列に複数本設置される冷陰極蛍光管ＣＣＦＬにも上記構成を適用できることは言うまでもない。
【実施例４】
【００５５】
図１６は、本発明による液晶表示装置の実施例４による外部電極蛍光管の構成を示す要部拡大断面図である。図１６に示す外部電極蛍光管EEFLは、紫外線透過性ガラス管VALの内側に冷陰極ELEがなく、ガラス管VALの両端の外周に電極ELEが設置されている。このような外部電極蛍光管は高周波電源で駆動されるので、ガラス管VALの内側に電極がなくとも、静電的な結合でガラス管VALの内側にガス放電を起こして、持続できる。
【００５６】
図１６に示す外部電極蛍光管EEFLは、内周面には蛍光体膜が全く形成されておらず、その外周面には半導体ナノガラスを基にしたガラス蛍光体GFLUが設置され、ガラス管VALの外表面に固着されている。なお、このガラス蛍光体膜GFLUはガラス管VALの主放電境域（両電極ELE間の領域）ARのみに形成するが、電極ELEの一部に掛かっていても良い。更に紫外線透過性ガラス管VALは紫外線での失透が少ない紫外線透過性の樹脂製でも良い。
【実施例５】
【００５７】
図１７は、本発明による液晶表示装置の実施例５による外部電極蛍光管の構成を示す要部拡大断面図である。図１７に示す外部電極蛍光管EEFLは、図１６に示すガラス蛍光体膜GFLUの外表面に、このガラス蛍光体GFLUをガラス管VALに安定して密着させ、且つ凝集及び表面劣化を防止させる保持膜としての石英ガラス膜QUAを低温形成法などより製膜されている。石英ガラス膜QAUの代わりに可視光並びに紫外線透過性の高いフッ素樹脂膜を用いても良い。
【実施例６】
【００５８】
図１８は、本発明による液晶表示装置の実施例６による外部電極蛍光管の構成を示す要部拡大断面図である。図１８に示す外部電極蛍光管EEFLは、紫外線透過性ガラス管VALの外周面に希土類蛍光体膜FLUが設置され、この蛍光体FLUの外周面にはガラス蛍光体膜GFLUが設置されている。更にこのガラス蛍光体の外側にはガラスパイプGPIが設置されている。ガラスバルブGPIとガラス管VALの間は気密性が保たれているのが良い。従って、ガラスパイプGPIは可視光透過性が高い、水分の非透過性の樹脂製でもよい。更には、ガラス蛍光体膜GFLU又は並びに蛍光体膜FLUはガラスパイプGPIの内周面に設置しても良い。
【００５９】
ガラス蛍光体ＧＦＬＵの安定性が良い場合には、ガラスパイプGPIは可視光透過性が高い、水分の透過性の樹脂製でもよい。更には、図示されていないが、このガラス蛍光体ＧＦＬＵをガラス管ＶＡＬに安定して密着させ、且つ凝集及び表面劣化を防止させる保持膜としての石英ガラス膜QUAを低温形成法などより製膜されている。石英ガラス膜QAUの代わりに可視光透過性の高いフッ素樹脂膜を用いても良い。更に紫外線透過性ガラス管VALは紫外線での失透が少ない紫外線透過性の樹脂製でも良い。
【実施例７】
【００６０】
図１９は、本発明による液晶表示装置の実施例７による冷陰極蛍光管ＣＣＦＬの構成を示す要部拡大展開図である。図１９に示す冷陰極蛍光管CCFLは、紫外線透過性ガラス板GPTの外側に設置された紫外線透過性の高い拡散板SCB、この拡散板SCBの外側に設置されたガラス蛍光体膜GFLU、内部に電極ELEが複数設置されているトレーTREで構成されている。これらガラス板GPTとトレーGCHとでガス雰囲気保持器GCHを形成している。更にトレーTREの内面は、図示してないが光学反射特性がよい状態、または光学反射特性がよい乱反射状態になっている。更に拡散板SCBの拡散面はガラス板GPT側に形成されている。更に紫外線透過性ガラス管VALは紫外線での失透が少ない紫外線透過性の樹脂製でも良い。請求項１１等で述べている冷陰極蛍光管は、例えばこの様な構成である。
【実施例８】
【００６１】
図２０は、本発明による液晶表示装置の実施例８による冷陰極蛍光管ＣＣＦＬの構成を示す要部拡大展開図である。図２０に示す冷陰極蛍光管CCFLは、図１９のガラス蛍光体膜GFLUの外面に石英ガラス膜又は可視光透過性の高いフッ素樹脂膜を設置する構成である。ガラス板GPTの外側に設置された紫外線透過性の高い拡散板SCB、この拡散板SCBの外側に設置されたガラス蛍光体膜GFLU、内部に電極ELEが複数設置されているトレーTREで構成されている。これらガラス板GPTとトレーGCHとでガス雰囲気保持器GCHを形成している。更にトレーTREの内面は、図示してないが光学反射特性がよい乱反射状態になっている。更に拡散板SCBの拡散面はガラス板GPT側に形成されている。
【実施例９】
【００６２】
図２１は、本発明による液晶表示装置の実施例９による冷陰極蛍光管ＣＣＦＬの構成を示す要部拡大展開図である。図２１に示す冷陰極蛍光管CCFLは、紫外線透過性ガラス板GPTの外側に設置されたガラス蛍光体膜GFLU、内部に電極ELEが複数設置されているトレーTREで構成されている。これらガラス板GPTとトレーGCHとでガス雰囲気保持器GCHを形成している。更にトレーTREの内面は、図示してないが光学反射特性がよい状態、または光学反射特性がよい乱反射状態になっている。更に紫外線透過性ガラス管VALは紫外線での失透が少ない紫外線透過性の樹脂製でも良い。
【実施例１０】
【００６３】
図２２は、本発明による液晶表示装置の実施例１０による冷陰極蛍光管ＣＣＦＬの構成を示す要部拡大展開図である。図２２に示す冷陰極蛍光管CCFLは、図２１のガラス蛍光体膜GFLUの外面に石英ガラス膜又は可視光透過性の高いフッ素樹脂膜を設置する構成である。紫外線透過性ガラス板GPTの外側に設置されたガラス蛍光体膜GFLU、内部に電極ELEが複数設置されているトレーTREで構成されている。これらガラス板GPTとトレーGCHとでガス雰囲気保持器GCHを形成している。更にトレーTREの内面は、図示してないが光学反射特性がよい乱反射状態になっている。
【実施例１１】
【００６４】
図２３は、本発明による液晶表示装置の実施例１１による冷陰極蛍光管ＣＣＦＬの構成を示す要部拡大展開図である。図２３に示す冷陰極蛍光管CCFLは、ガラス板GPTの内側に設置されたガラス蛍光体膜GFLU、内部に電極ELEが複数設置されているトレーTREで構成されている。これらガラス板GPTとトレーGCHとでガス雰囲気保持器GCHを形成している。更にトレーTREの内面は、図示してないが光学反射特性がよい状態、または光学反射特性がよい乱反射状態になっている。
【実施例１２】
【００６５】
図２４は、本発明による液晶表示装置の実施例１２による冷陰極蛍光管ＣＣＦＬの構成を示す要部拡大展開図である。図２４に示す冷陰極蛍光管CCFLは、図２３のガラス蛍光体膜GFLUの内面に石英ガラス膜QUAをる構成である。ガラス板GPTの外側に設置されたガラス蛍光体膜GFLU、内部に電極ELEが複数設置されているトレーTREで構成されている。このラス板GPTとトレーGCHとでガス雰囲気保持器GCHを形成している。更にトレーTREの内面は、図示してないが光学反射特性がよい乱反射状態になっている。
【実施例１３】
【００６６】
図２５は、本発明による液晶表示装置の実施例１３による冷陰極蛍光管ＣＣＦＬの構成を示す要部拡大展開図である。図２５に示す冷陰極蛍光管CCFLは、ガラス板GPTの内側に設置されたガラス蛍光体膜GFLU、内部に電極ELEが複数設置されているトレーTREと、このトレーTRE内側に設置されているガラス蛍光体GFLUで構成されている。このガラス板GPTとトレーTREでガス雰囲気保持器GCHを形成している。更にトレーTREの内面は、図示してないが光学反射特性がよい状態、または光学反射特性がよい乱反射状態になっている。
【実施例１４】
【００６７】
図２６は、本発明による液晶表示装置の実施例１４による冷陰極蛍光管ＣＣＦＬの構成を示す要部拡大展開図である。図２６に示す冷陰極蛍光管CCFLは、ガラス板GPTと、内部に電極ELEが複数設置されているトレーTREと、このトレーTRE内側に設置されているガラス蛍光体GFLUと、石英ガラス膜とから構成されている。このガラス板GPTとトレーTREでガス雰囲気保持器GCHを形成している。更にトレーTREの内面は、図示してないが光学反射特性がよい状態、または光学反射特性がよい乱反射状態になっている。
【図面の簡単な説明】
【００６８】
【図１】本発明による液晶表示装置の実施例１を説明する冷陰極蛍光管の要部拡大断面図である。
【図２】本発明による液晶表示装置の実施例２を説明する冷陰極蛍光管の要部拡大断面図である。
【図３】本発明による液晶表示装置の実施例３を説明する冷陰極蛍光管の要部拡大断面図である。
【図４】本発明による液晶表示装置の変形例を説明する外部電極蛍光管の要部拡大断面図である。
【図５】本発明による液晶表示装置の他の変形例を説明する外部電極蛍光管の要部拡大断面図である。
【図６】本発明による液晶表示装置のさらに他の変形例を説明する外部電極蛍光管の要部拡大断面図である。
【図７】本発明による液晶表示装置の他の変形例を説明する外部電極蛍光管の要部拡大断面図である。
【図８】本発明による液晶表示装置であるノート型ＰＣの構成を示す要部断面図である。
【図９】本発明による液晶表示装置であるＰＣモニタの構成を示す要部断面図である。
【図１０】本発明による液晶表示装置である液晶テレビ受像機の構成を示す要部断面図である。
【図１１】直下型バックライトを用いた液晶表示装置の構成例を模式的に説明する展開斜視図である。
【図１２】構成部材を一体化した液晶表示装置の構成を模式的に説明する断面図である。
【図１３】光学補償シート積層体側から見た下フレームの構成例を模式的に説明する平面図である。
【図１４】液晶表示装置のバックライトとして用いられる冷陰極蛍光管の全体構成を示す断面図である。
【図１５】図１４の要部拡大断面図である。
【図１６】本発明による液晶表示装置の実施例４による外部電極蛍光管の構成を示す要部拡大断面図である。
【図１７】本発明による液晶表示装置の実施例５による外部電極蛍光管の構成を示す要部拡大断面図である。
【図１８】本発明による液晶表示装置の実施例６による外部電極蛍光管の構成を示す要部拡大断面図である。
【図１９】本発明による液晶表示装置の実施例７による冷陰極蛍光管ＣＣＦＬの構成を示す要部拡大展開図である。
【図２０】本発明による液晶表示装置の実施例８による冷陰極蛍光管ＣＣＦＬの構成を示す要部拡大展開図である。
【図２１】本発明による液晶表示装置の実施例９による冷陰極蛍光管ＣＣＦＬの構成を示す要部拡大展開図である。
【図２２】本発明による液晶表示装置の実施例１０による冷陰極蛍光管ＣＣＦＬの構成を示す要部拡大展開図である。
【図２３】本発明による液晶表示装置の実施例１１による冷陰極蛍光管ＣＣＦＬの構成を示す要部拡大展開図である。
【図２４】本発明による液晶表示装置の実施例１２による冷陰極蛍光管ＣＣＦＬの構成を示す要部拡大展開図である。
【図２５】本発明による液晶表示装置の実施例１３による冷陰極蛍光管ＣＣＦＬの構成を示す要部拡大展開図である。
【図２６】本発明による液晶表示装置の実施例１４による冷陰極蛍光管ＣＣＦＬの構成を示す要部拡大展開図である。
【符号の説明】
【００６９】
ＰＮＬ・・・液晶表示パネル、ＳＣＢ・・・拡散板、ＳＣＳ・・・拡散シート、ＳＣＳ１・・・第１拡散シート、ＳＣＳ２・・・第２拡散シート、ＰＲＺ・・・プリズムシート、ＤＦＰ・・・拡散板、ＰＨＳ・・・光学補償シート積層体、ＧＬＢ・・・導光板、ＲＦＳ・・・反射シート、ＵＦＬ・・・上フレーム、ＤＦＬ・・・下フレーム、ＢＫＬ・・・バックライト、ＣＣＦＬ・・・冷陰極蛍光管、ＶＡＬ・・・ガラス管、ＦＬＵ・・・蛍光体膜、ＥＬＥ・・・冷電極、ＩＬＥ・・・インナーリード、ＧＢＥ・・・ガラスビーズ、ＯＬＥ・・・アウターリード、ＧＦＬＵ・・・ガラス蛍光体膜、ＱＵＡ・・・石英ガラス膜（保持膜）、ＡＲ・・・主放電領域、ＧＰＩ・・・ガラスパイプ、ＳＴＰ・・・栓、ＥＬ・・・陰極、ＥＰＲ・・・電極内面保護膜、ＣＯＮ・・・電極下地処理膜、ＰＲＯ・・・電極保護膜、ＥＥＦＬ・・・外部電極蛍光管、ＧＴＰ・・・ガラス板、ＴＲＥ・・・トレー、ＧＣＨ・・・ガス雰囲気保持器。
【図１】
2006310029.tif 000003
【図２】
2006310029.tif 000004
【図３】
2006310029.tif 000005
【図４】
2006310029.tif 000006
【図５】
2006310029.tif 000007
【図６】
2006310029.tif 000008
【図７】
2006310029.tif 000009
【図８】
2006310029.tif 000010
【図９】
2006310029.tif 000011
【図１０】
2006310029.tif 000012
【図１１】
2006310029.tif 000013
【図１２】
2006310029.tif 000014
【図１３】
2006310029.tif 000015
【図１４】
2006310029.tif 000016
【図１５】
2006310029.tif 000017
【図１６】
2006310029.tif 000018
【図１７】
2006310029.tif 000019
【図１８】
2006310029.tif 000020
【図１９】
2006310029.tif 000021
【図２０】
2006310029.tif 000022
【図２１】
2006310029.tif 000023
【図２２】
2006310029.tif 000024
【図２３】
2006310029.tif 000025
【図２４】
2006310029.tif 000026
【図２５】
2006310029.tif 000027
【図２６】
2006310029.tif 000028